(57)【特許請求の範囲】
【請求項１】
転炉の吹錬中の排ガス処理に用いるスカートを非常時に上昇させるための非常上昇装置であって、通常時にスカートの昇降に用いる常用シリンダとは別に、非常用シリンダを備えており、該非常用シリンダは、上端がチェーンによって前記スカートに常時連結しているとともに、シリンダロッドの下端部が、当該非常用シリンダの下方に設置された、上下方向に長い長穴を有するブラケットに、前記長穴を介して常時連結していて、前記常用シリンダが故障した非常時に前記常用シリンダに代わってスカートを上昇させることを特徴とする転炉排ガス処理用スカートの非常上昇装置。
【請求項２】
前記非常用シリンダは、通常時はシリンダロッドを下方に伸ばした状態でチェーンによって前記スカートに常時連結していて、前記常用シリンダによって前記スカートが下降し終わると、前記シリンダロッドの下端部が前記長穴の上端部に位置するようになり、前記常用シリンダによって前記スカートが上昇し終わると、前記シリンダロッドの下端部が前記長穴の下端部に位置するようになり、非常時には、前記シリンダロッドの下端部が前記長穴の上端部に位置した状態で、前記シリンダロッドを縮小させて前記スカートを上昇させることを特徴とする請求項１に記載の転炉排ガス処理用スカートの非常上昇装置。
【請求項３】
前記非常用シリンダは、前記スカートの上方に設置されているフード台車の外面に取り付けられていることを特徴とする請求項１または２に記載の転炉排ガス処理用スカートの非常上昇装置。
【発明の詳細な説明】
【技術分野】
【０００１】
本発明は、転炉の吹錬中の排ガス処理に用いるスカートを非常時に上昇させるための非常上昇装置に関するものである。
【背景技術】
【０００２】
転炉設備においては、転炉が吹錬中に排出される排ガスを排ガス処理設備に誘導するスカート（転炉排ガス処理用スカート）が設けられている。このスカートは、転炉炉口の上方に設置されたフードからシリンダによって上下に昇降する構造になっており、転炉が傾動する時は干渉を避けるために上昇し、転炉からの排ガスを排ガス処理設備に誘導する時は転炉炉口の近傍へ下降する（例えば、特許文献１参照）。
【０００３】
その際に、もし、転炉の吹錬中でスカートが転炉炉口の近傍へ下降している時に、上記のシリンダが故障して、スカートが上昇できなくなった場合、すなわち、スカートが転炉炉口の近傍に固定された状態になった場合、転炉が傾動できなくなり、転炉内の溶鋼が出鋼できない状態が続いて、転炉設備が機能しなくなり、操業停止になってしまう。
【０００４】
従来、上記のように、通常用いるシリンダ（常用シリンダ）が故障してスカートが上昇できなくなった非常時においては、作業員が転炉のそばに行き、別途設置されている非常用シリンダを油圧ユニットによって伸ばし、スカートのブラケットと連結させ、その後、非常用シリンダを縮めることにより、スカートを上昇させていた。
【先行技術文献】
【特許文献】
【０００５】
【特許文献１】特開２００３−２５３３２０号公報
【発明の概要】
【発明が解決しようとする課題】
【０００６】
しかし、上記のような従来の方法では、非常時にもかかわらず人手作業で行っていたためにかなりの時間（例えば３０分）を要していた。
【０００７】
本発明は、上記のような事情に鑑みてなされたものであり、転炉排ガス処理用スカートが転炉炉口の近傍へ下降している時に、常用シリンダが故障してスカートが上昇できなくなった非常時において、スカートを迅速に上昇させることができる転炉排ガス処理用スカートの非常上昇装置を提供することを目的とするものである。
【課題を解決するための手段】
【０００８】
前記課題を解決するために、本発明は以下の特徴を有する。
【０００９】
［１］転炉の吹錬中の排ガス処理に用いるスカートを非常時に上昇させるための非常上昇装置であって、通常時にスカートの昇降に用いる常用シリンダとは別に、非常用シリンダを備えており、該非常用シリンダは、前記スカートに常時連結していて、前記常用シリンダが故障した非常時に前記常用シリンダに代わってスカートを上昇させることを特徴とする転炉排ガス処理用スカートの非常上昇装置。
【００１０】
［２］前記非常用シリンダは、通常時はシリンダロッドを下方に伸ばした状態でチェーンによって前記スカートに常時連結していて、非常時にシリンダロッドを縮小させて前記スカートを上昇させることを特徴とする前記［１］に記載の転炉排ガス処理用スカートの非常上昇装置。
【００１１】
［３］前記非常用シリンダは、前記スカートの上方に設置されているフード台車の外面に取り付けられていることを特徴とする前記［１］または［２］に記載の転炉排ガス処理用スカートの非常上昇装置。
【発明の効果】
【００１２】
本発明においては、転炉の吹錬中の排ガス処理に用いるスカート（転炉排ガス処理用スカート）が転炉炉口の近傍へ下降している時に、常用シリンダが故障してスカートが上昇できなくなった非常時において、スカートを迅速に上昇させることができる。
【００１３】
すなわち、従来、転炉排ガス処理用スカートが常用シリンダで上昇しなかった場合、人手作業で転炉排ガス処理用スカートを上昇させていたためにかなりの時間（例えば３０分）を要していたが、本発明によって、自動作業により短時間（例えば１分）で上昇可能となり、非常時に瞬時の対応が可能になる。
【図面の簡単な説明】
【００１４】
【図１】本発明の一実施形態を示す図である。
【図２】本発明の一実施形態における通常時の動作を示す図である。
【図３】本発明の一実施形態における非常時の動作を示す図である。
【発明を実施するための形態】
【００１５】
本発明の一実施形態を図面に基づいて説明する。
【００１６】
図１は、本発明の一実施形態における転炉設備を示す図である。
【００１７】
図１に示すように、この実施形態における転炉設備１０は、転炉１１と、転炉１１が吹錬中に排出される排ガスを排ガス処理設備に誘導するスカート（転炉排ガス処理用スカート）１２を備えている。このスカート１２は、転炉炉口の上方に設置されたフード１３からシリンダ（常用シリンダ）１５によって上下に８００ｍｍ程度のストロークで昇降する構造になっており、転炉１１が傾動する時は干渉を避けるために上方へ上昇し、転炉１１からの排ガスを排ガス処理設備に誘導する時は転炉炉口の近傍へ下降する。なお、図１中の１４はフード１３が搭載されているフード台車である。
【００１８】
その上で、この実施形態においては、通常時にスカートの昇降に用いる常用シリンダ１５とは別に、常用シリンダ１５が故障した非常時に、常用シリンダ１５に代わってスカート１２を上昇させる非常用シリンダ２１を備えている。
【００１９】
この非常用シリンダ２１は、フード台車１４の外面に取り付けられており、シリンダ上端（尾端）がチェーン２３によってスカート１２に常時連結していている。また、非常用シリンダ２１の下方に、長穴を有したブラケット（長穴ブラケット）２５が設置されており、その長穴ブラケットに非常用シリンダ２１のシリンダロッドが連結している。なお、図１中の２２は非常用シリンダ２１を作動させるための油圧ユニット、２７は油圧配管であり、２４はチェーン２３が掛けられる滑車である。
【００２０】
そして、転炉１１の吹錬中でスカート１２が転炉炉口の近傍へ下降している時に、常用シリンダ１５が故障して、スカート１２が上昇できなくなった場合、すなわち、スカート１２が転炉炉口の近傍に固定された状態になった場合は、常用シリンダ１５に代わって非常用シリンダ２１を作動させてスカート１２を上昇させる。
【００２１】
ここで、図２に通常時（通常操業時）におけるスカート１２と非常用シリンダ２１の動作を示し、図３に非常時（非常操業時）におけるスカート１２と非常用シリンダ２１の動作を示す。
【００２２】
まず、通常時には、図２に示すように、非常用シリンダ２１はシリンダロッド２１ａを下方に伸ばした状態になっている。そして、図２（ａ）に示すように、常用シリンダ１５によってスカート１２が下降すると、非常用シリンダ２１全体がシリンダロッド２１ａを下方に伸ばした状態のまま上昇する。その際に、シリンダロッド２１ａと長穴ブラケット２５との連結部２６は長穴ブラケット２５の長穴２５aの上端部に位置するようになる。また、図２（ｂ）に示すように、常用シリンダ１５によってスカート１２が上昇すると、非常用シリンダ２１全体がシリンダロッド２１ａを下方に伸ばした状態のまま下降する。その際に、シリンダロッド２１ａと長穴ブラケット２５との連結部２６は長穴ブラケット２５の長穴２５aの下端部近傍に位置するようになる。
【００２３】
このようにして、通常時には、常用シリンダ１５によるスカート１２の昇降を非常用シリンダ２１が妨げないようになっている。
【００２４】
これに対して、非常時、すなわち、上記の図２（ａ）と同じ状態である図３（ａ）において、常用シリンダ１５が故障してスカート１２を上方に上昇させることができなくなった場合は、図３（ｂ）に示すように、非常用シリンダ２１のシリンダロッド２１ａを縮小させて、スカート１２を上昇させる。その際は、シリンダロッド２１ａと長穴ブラケット２５との連結部２６は長穴ブラケット２５の長穴２５aの上端部に位置したままとなる。
【００２５】
なお、図３（ｂ）において、非常用シリンダ２１によるスカート１２の上昇を故障した常用シリンダ１５が妨げないように、常用シリンダ１５の油圧を低減させて、自在に稼動できるようにするなど対策を講じている。
【００２６】
このようにして、この実施形態においては、転炉１１の吹錬中でスカート１２が転炉炉口の近傍へ下降している時に、常用シリンダ１５が故障してスカート１２が上昇できなくなった非常時において、スカート１２を迅速に上昇させることができる。
【００２７】
すなわち、従来、スカート１２が常用シリンダ１５で上昇しなかった場合、人手作業でスカート１２を上昇させていたためにかなりの時間（例えば３０分）を要していたが、この実施形態によって、非常用シリンダ２１による自動作業により短時間（例えば１分）で上昇可能となり、非常時に瞬時の対応が可能になる。
【００２８】
また、非常用シリンダ２１をフード台車１４の外面に取り付けているため、非常用シリンダ２１の位置によりスカート１２がどの位置にあるかを直接確認することができるので、メンテナンス性が向上する。
【符号の説明】
【００２９】
１０  転炉設備
１１  転炉
１２  スカート（転炉排ガス処理用スカート）
１３  フード
１４  フード台車
１５  常用シリンダ
２１  非常用シリンダ
２１ａ  非常用シリンダのシリンダロッド
２２  油圧ユニット
２３  チェーン
２４  滑車
２５  長穴ブラケット
２５ａ  長穴
２６  非常用シリンダのシリンダロッドと長穴ブラケットとの連結部
２７  非常用シリンダの油圧配管
【図１】
0005686068.tif 000002
【図２】
0005686068.tif 000003
【図３】
0005686068.tif 000004